(57)【特許請求の範囲】
【請求項１】
多角形の本体面部と、前記本体面部の各辺から形成されている側面部を有する器具本体と、
前記本体面部に固定されている水平面部と、前記水平面部とつながり、水平面部に対して垂直に延び、前記側面部の内側に配置されている垂直面部とを有する枠体と、
前記器具本体と重なった状態で前記器具本体に着脱自在に取り付けられ、一部が前記垂直面部よりも側方にはみ出しているはみ出し部を形成している光源ユニットと
を備え、
前記枠体は、
前記はみ出し部がはみ出している方向に延び、前記器具本体に近い側の端部が前記はみ出し部と当たることで前記光源ユニットを受けている鍔部と、
前記鍔部の前記器具本体から遠い側の端部から、前記光源ユニットと離れた状態で前記器具本体から前記光源ユニットへ向かう方向に延びている枠部と
を備える照明装置。
【請求項２】
前記光源ユニットの側面と、前記鍔部の前記はみ出し部と当たる第１面と、前記枠部の前記光源ユニットの側面に対向する第２面とで囲まれた空間が形成されている請求項１に記載の照明装置。
【請求項３】
前記枠部は、前記鍔部と一体に形成されている本体枠と、前記本体枠に固定されている化粧枠とを有する請求項１又は２に記載の照明装置。
【請求項４】
器具本体と、
前記器具本体に固定されている垂直面部と、
前記器具本体と重なった状態で前記器具本体に着脱自在に取り付けられ、一部が前記垂直面部よりも側方にはみ出しているはみ出し部を形成している光源ユニットと、
前記垂直面部から、前記はみ出し部がはみ出している方向に延び、前記器具本体に近い側の端部が前記はみ出し部と当たることで前記光源ユニットを受けている鍔部と、
前記鍔部の前記器具本体から遠い側の端部から、前記光源ユニットと離れた状態で前記器具本体から前記光源ユニットへ向かう方向に延びている枠部と
を備え、
前記枠部は、前記鍔部と一体に形成されている本体枠を有し、
前記器具本体の形状は、平面視で多角形であり、
前記本体枠は、前記多角形の各辺に対応する複数の板状部材を有し、隣り合う板状部材間に隙間が設けられている照明装置。
【請求項５】
器具本体と、
前記器具本体に固定されている垂直面部と、
前記器具本体と重なった状態で前記器具本体に着脱自在に取り付けられ、一部が前記垂直面部よりも側方にはみ出しているはみ出し部を形成している光源ユニットと、
前記垂直面部から、前記はみ出し部がはみ出している方向に延び、前記器具本体に近い側の端部が前記はみ出し部と当たることで前記光源ユニットを受けている鍔部と、
前記鍔部の前記器具本体から遠い側の端部から、前記光源ユニットと離れた状態で前記器具本体から前記光源ユニットへ向かう方向に延びている枠部と
を備え、
前記器具本体の形状は、平面視で多角形であり、
前記鍔部として、前記多角形の各辺に対応する複数の長手状の鍔部が備えられ、隣り合う鍔部同士の長手方向の端面が突き合わせられている照明装置。
【請求項６】
前記枠部は、前記鍔部とつながり、前記器具本体から前記光源ユニットへ向かう方向に延びている第１板状部材と、前記第１板状部材とつながり、前記光源ユニットから前記器具本体へ向かう方向に延びている第２板状部材とを有する請求項１又は２に記載の照明装置。
【請求項７】
前記第１板状部材は、前記鍔部の前記はみ出し部と当たる面に対して斜めに延び、前記光源ユニットの側面から出射される光を反射する面を有する請求項６に記載の照明装置。
【請求項８】
前記枠部は、前記鍔部とつながり、前記器具本体から前記光源ユニットへ向かう方向に延びている第１板状部材と、前記第１板状部材とつながり、前記はみ出し部がはみ出している方向に延びている第２板状部材とを有する請求項１又は２に記載の照明装置。
【請求項９】
器具本体と、
前記器具本体に固定されている垂直面部と、
前記器具本体と重なった状態で前記器具本体に着脱自在に取り付けられ、一部が前記垂直面部よりも側方にはみ出しているはみ出し部を形成している光源ユニットと、
前記垂直面部から、前記はみ出し部がはみ出している方向に延び、前記器具本体に近い側の端部が前記はみ出し部と当たることで前記光源ユニットを受けている鍔部と、
前記鍔部の前記器具本体から遠い側の端部から、前記光源ユニットと離れた状態で前記器具本体から前記光源ユニットへ向かう方向に延びている枠部と
を備え、
前記枠部は、前記鍔部とつながり、前記器具本体から前記光源ユニットへ向かう方向に延びている第１板状部材と、前記第１板状部材とつながり、前記はみ出し部がはみ出している方向に延びている第２板状部材とを有し、
前記第２板状部材は、少なくとも一部が前記第１板状部材の前記光源ユニットに対向する側から突き出して突き出し部を形成し、前記突き出し部に前記第１板状部材の塗装色と前記第２板状部材の塗装色との境目が存在している照明装置。
【請求項１０】
前記第２板状部材は、少なくとも一部が前記第１板状部材の前記光源ユニットに対向する側と反対側から突き出して突き出し部を形成し、前記突き出し部に前記第１板状部材の塗装色と前記第２板状部材の塗装色との境目が存在している請求項８に記載の照明装置。
【発明の詳細な説明】
【技術分野】
【０００１】
本発明は、照明装置に関するものである。
【背景技術】
【０００２】
従来、天井等の被取り付け部に取り付けられる本体と、本体に着脱自在に装着されるランプとを備える照明器具がある（例えば、特許文献１参照）。
【先行技術文献】
【特許文献】
【０００３】
【特許文献１】特開２０１４−１９２００２号公報
【発明の概要】
【発明が解決しようとする課題】
【０００４】
特許文献１に記載されている照明器具は、ランプの着脱時に、作業者がランプと本体の内面との間に形成された空間を使用してランプを把持しながら着脱作業を行うことができる構造になっている。しかし、ランプが本体に装着されたときにランプの放熱フィンが本体の内面に接触するようになっているため、ランプと本体の内面との間に形成される空間が狭すぎて着脱作業に支障が出るという課題がある。
【０００５】
本発明は、光源ユニットの着脱作業が容易な照明装置を提供することを目的とする。
【課題を解決するための手段】
【０００６】
本発明の一態様に係る照明装置は、
多角形の本体面部と、前記本体面部の各辺から形成されている側面部を有する器具本体と、
前記本体面部に固定されている水平面部と、前記水平面部とつながり、水平面部に対して垂直に延び、前記側面部の内側に配置されている垂直面部とを有する枠体と、
前記器具本体と重なった状態で前記器具本体に着脱自在に取り付けられ、一部が前記垂直面部よりも側方にはみ出しているはみ出し部を形成している光源ユニットと
を備え、
前記枠体は、
前記はみ出し部がはみ出している方向に延び、前記器具本体に近い側の端部が前記はみ出し部と当たることで前記光源ユニットを受けている鍔部と、
前記鍔部の前記器具本体から遠い側の端部から、前記光源ユニットと離れた状態で前記器具本体から前記光源ユニットへ向かう方向に延びている枠部とを備える。
【発明の効果】
【０００７】
本発明では、照明装置が、光源ユニットの着脱時に、作業者が光源ユニットと器具本体に近い側の端部で光源ユニットを受ける鍔部と鍔部の器具本体から遠い側の端部から延びる枠部とで囲まれた広い空間を使用して光源ユニットを手で押さえながら着脱作業を行うことができる構造になっている。そのため、光源ユニットの着脱作業が容易となる。
【図面の簡単な説明】
【０００８】
【図１】実施の形態１に係る照明装置の斜視図。
【図２】実施の形態１に係る照明装置の器具本体の底面図。
【図３】実施の形態１に係る照明装置の光源ユニットの平面図。
【図４】実施の形態１に係る照明装置の部分断面図。
【図５】実施の形態１に係る照明装置の部分斜視図。
【図６】実施の形態２に係る照明装置の斜視図。
【図７】実施の形態２に係る照明装置の部分断面図。
【図８】実施の形態３に係る照明装置の斜視図。
【図９】実施の形態３に係る照明装置の部分断面図。
【図１０】実施の形態３に係る照明装置の部分拡大図。
【発明を実施するための形態】
【０００９】
以下、本発明の実施の形態について、図を用いて説明する。なお、各図中、同一又は相当する部分には、同一符号を付している。実施の形態の説明において、同一又は相当する部分については、その説明を適宜省略又は簡略化する。装置、器具、部品等の構成について、その材質、形状、大きさ等は、本発明の範囲内で適宜変更することができる。
【００１０】
実施の形態１．
本実施の形態に係る装置の構成、本実施の形態の効果を順番に説明する。
【００１１】
＊＊＊構成の説明＊＊＊
図１を参照して、本実施の形態に係る装置である照明装置８００の構成を説明する。図１は、照明装置８００を斜め下方から見た図である。なお、本実施の形態の説明において、「上方」、「下方」、「側方」、「前方」、「後方」、「斜め上方」、「斜め下方」といった方向は、照明装置８００が天井に取り付けられる場合の方向を示している。照明装置８００は、壁等、天井以外の被取り付け部に取り付けられてもよい。
【００１２】
照明装置８００は、本体部１００と、鍔部１４０と、枠部１５０とを備える。
【００１３】
本体部１００は、器具本体１０１と、器具本体１０１と重なった状態で器具本体１０１に着脱自在に取り付けられている光源ユニット３００とを有する。鍔部１４０と枠部１５０については後述する。
【００１４】
図２を参照して、器具本体１０１の構成を説明する。図２は、器具本体１０１を下方から見た図である。
【００１５】
器具本体１０１は、ボルト等の固定具により被取り付け部に取り付けられている。器具本体１０１は、正方形状の本体面部１１０と、この本体面部１１０の四辺から折り曲げられて形成されている４つの側面部１２０と、本体面部１１０に取り付けられ、外部から引き込まれる給電用の電線がつなげられている端子台１３０とを備える。
【００１６】
本体面部１１０には、光源ユニット３００を保持及び固定するためのバネ部材２１０及び爪付き部材２２０が取り付けられている。また、本体面部１１０には、端子台１３０に挿し込まれる電線を外部から引き込むための引き込み孔１１１と、器具本体１０１を被取り付け部に固定するボルト等の固定具を挿し込むための挿入孔１１２とが形成されている。なお、引き込み孔１１１は、本体面部１１０の中心に１つ、中心から数センチメートル離れた位置に１つ形成されている。挿入孔１１２は、本体面部１１０の中心の引き込み孔１１１に対して両側に１つずつ形成されている。具体的には、１つの挿入孔１１２が、本体面部１１０の中心の引き込み孔１１１から別の引き込み孔１１１がある方向とは９０度ずれた方向に設けられ、もう１つの挿入孔１１２が、本体面部１１０の中心の引き込み孔１１１から別の引き込み孔１１１がある方向とは−９０度ずれた方向に設けられている。引き込み孔１１１は、いずれも円形である。挿入孔１１２は、いずれも長穴であるが、互いの向きが９０度ずれた形になっている。
【００１７】
上記のように、本体面部１１０には、端子台１３０が設置される端子台設置面１０２が形成されている。即ち、器具本体１０１は、端子台設置面１０２を有する。端子台１３０は、外部から引き込まれる給電用の電線を接続するためのものである。端子台設置面１０２には、当該電線を外部から引き込むための貫通孔である引き込み孔１１１が設けられている。即ち、端子台設置面１０２は、電線引き込み面でもある。また、端子台設置面１０２には、器具本体１０１を外部に固定する固定具を挿入するための貫通孔である挿入孔１１２が設けられている。即ち、端子台設置面１０２は、固定具挿入面でもある。
【００１８】
バネ部材２１０は、円弧部２１１と、固定部２１２と、先端部２１３とを有する。バネ部材２１０は、固定部２１２がいずれか１つの側面部１２０に寄った状態で、互いの円弧部２１１の側面が対向するように本体面部１１０に２つ取り付けられている。
【００１９】
爪付き部材２２０は、爪２２１と、係止部２２２とを有する。爪付き部材２２０は、バネ部材２１０の固定部２１２が寄っている側面部１２０と対向する他の側面部１２０に寄った状態で、互いの側面が対向し、かつ、２つのバネ部材２１０のそれぞれに対向するように本体面部１１０に２つ取り付けられている。
【００２０】
対向するバネ部材２１０と爪付き部材２２０との間には、挿入孔１１２が設けられている。また、対向するバネ部材２１０と爪付き部材２２０とを結ぶ仮想の直線と平行に並ぶように、端子台１３０が引き込み孔１１１と直線状に配置されている。
【００２１】
図３を参照して、光源ユニット３００の構成を説明する。図３は、光源ユニット３００を上方から見た図である。
【００２２】
光源ユニット３００は、光源である、図３に示していないＬＥＤモジュールと、ＬＥＤモジュールが取り付けられたモジュール取り付け部４１０と、ＬＥＤモジュールを覆うようにモジュール取り付け部４１０に固定される、図３に示していないカバー部と、ＬＥＤモジュールを点灯させる点灯装置４２０とを備える。また、光源ユニット３００は、バネ部材２１０が挿入される穴開き部材２３０と、爪付き部材２２０に引っ掛けられる引っ掛け部材２４０と、引っ掛け部材２４０と組み合わせて使用される摺動部材２５０及び押さえ部材２６０とを備える。
【００２３】
図示していないが、ＬＥＤモジュールは、複数のＬＥＤと、正方形状であり、複数のＬＥＤが実装された基板とからなる。ＬＥＤモジュールは、モジュール取り付け部４１０にネジにより固定されているが、接着等により固定されてもよい。本実施の形態では、ＬＥＤモジュールがモジュール取り付け部４１０に４つ取り付けられている。なお、ＬＥＤモジュールを大きく構成して１つにしてもよいし、４つ以上に細かく分割してもよい。基板としては、正方形状のものに限らず、長方形状又はその他の形状に形成されたものが並べられてもよい。
【００２４】
モジュール取り付け部４１０は、ＬＥＤモジュールが取り付けられている取り付け正面部４１１と、取り付け正面部４１１の外周部に平面視で「ロ」の字状に設けられ、カバー部の端部が挿し込まれているカバー受け部４１２とで構成される。
【００２５】
取り付け正面部４１１は、四角形の板状であり、一方の面である光源設置面には４つのＬＥＤモジュールが配置され、他方の面である点灯装置設置面３０２には１対の点灯装置４２０、１対の穴開き部材２３０、１対の引っ掛け部材２４０が配列されている。点灯装置４２０は、点灯装置設置面３０２の中央付近に長手方向の側面が対向するように並行する状態で２つ設置されている。穴開き部材２３０と引っ掛け部材２４０は、点灯装置４２０に対して点灯装置４２０の長手方向の側面が対向するカバー受け部４１２に寄った状態において点灯装置４２０の短手方向の側面に対向するカバー受け部４１２にそれぞれ寄って配置されている。引っ掛け部材２４０は、先端がカバー受け部４１２より外側に突き出すようにスライド可能である。
【００２６】
上記のように、取り付け正面部４１１には、光源が設置される光源設置面と、光源設置面の反対の面であり、かつ、器具本体１０１の端子台設置面１０２に対向する面であり、長手状の点灯装置４２０が設置される点灯装置設置面３０２とが形成されている。即ち、光源ユニット３００は、光源設置面と、点灯装置設置面３０２とを有する。点灯装置４２０は、器具本体１０１の端子台１３０を介して給電されることで光源を点灯させる。
【００２７】
穴開き部材２３０には、バネ部材２１０の円弧部２１１が挿し込まれる穴が形成されている。光源ユニット３００が仮保持されるときは、この穴にバネ部材２１０の先端部２１３が引っ掛けられる。光源ユニット３００が仮保持状態から装着状態に移行する過程では、穴開き部材２３０の穴に対してバネ部材２１０の円弧部２１１が摺動する。穴開き部材２３０は、バネ部材２１０に対応するように取り付け正面部４１１に２つ並列に配置されている。
【００２８】
引っ掛け部材２４０は、爪付き部材２２０の爪２２１に引っ掛けられるものであり、爪付き部材２２０に対応するように取り付け正面部４１１に２つ並列に配置されている。
【００２９】
引っ掛け部材２４０は、モジュール取り付け部４１０の取り付け正面部４１１を切り起こして形成された溝部にスライド可能に保持されているとともに、摺動部材２５０及び押さえ部材２６０に装着されている。摺動部材２５０及び押さえ部材２６０は、引っ掛け部材２４０が前後方向にスライドするのに伴い、引っ掛け部材２４０を斜め方向へ誘導する。
【００３０】
引っ掛け部材２４０が前方にスライドする過程において、引っ掛け部材２４０の先端部は、押さえ部材２６０がある位置から引き出されて、取り付け正面部４１１から徐々に遠ざかる。引っ掛け部材２４０の先端部よりも後ろの部分は、摺動部材２５０と押さえ部材２６０との間に形成される隙間の中で前方かつ斜め上方にスライドする。このとき、引っ掛け部材２４０の後端部は、押さえ部材２６０によって押さえ付けられる。
【００３１】
引っ掛け部材２４０が前方にスライドすることで、引っ掛け部材２４０の先端部は、光源ユニット３００の平面視における外郭よりも外側に突き出している状態になる。引っ掛け部材２４０の先端部と後端部との間の部分は、押さえ部材２６０の前方かつ斜め上方に位置している状態になる。引っ掛け部材２４０の後端部は、摺動部材２５０と押さえ部材２６０とによって押圧されている状態になる。このため、引っ掛け部材２４０が、前後方向及び上下方向において固定され、引き出された状態を維持することができる。また、引っ掛け部材２４０がスライドすることで、引っ掛け部材２４０の後端部が、押さえ部材２６０に引っ掛かっている状態になる。このため、引っ掛け部材２４０が必要以上に手前に引き出されることが防止される。
【００３２】
引っ掛け部材２４０が後方にスライドする過程において、引っ掛け部材２４０の先端部は、光源ユニット３００の平面視における外郭よりも外側の位置から押し込まれて、取り付け正面部４１１に徐々に近づく。引っ掛け部材２４０の先端部よりも後ろの部分は、摺動部材２５０と押さえ部材２６０との間に形成される隙間の中で後方かつ斜め下方にスライドする。このとき、引っ掛け部材２４０の後端部は、押さえ部材２６０によって押さえ付けられる。
【００３３】
光源ユニット３００を器具本体１０１に取り付ける際には、まず、引っ掛け部材２４０を摺動部材２５０に沿って引き出し、引っ掛け部材２４０の先端部をカバー受け部４１２より外側に突き出させる。このとき、引っ掛け部材２４０の先端部と取り付け正面部４１１との距離が広がる。つまり、引っ掛け部材２４０は、垂直方向及び水平方向の両方において引っ掛け部材２４０の先端部と取り付け正面部４１１との距離が広がるように引き出される。
【００３４】
次に、引っ掛け部材２４０が引き出された状態で、光源ユニット３００をほぼ垂直に傾け、爪付き部材２２０の爪２２１に引っ掛け部材２４０を引っ掛ける。前述したように、引っ掛け部材２４０は、引き出された状態では、摺動部材２５０と押さえ部材２６０とにより前後方向及び上下方向において固定される。また、引っ掛け部材２４０の後端部が押さえ部材２６０に引っ掛かる。これにより、光源ユニット３００が仮保持状態になる。この状態において、端子台１３０のコネクタと点灯装置４２０のコネクタとの間を電線で接続する。引っ掛け部材２４０の先端部と爪付き部材２２０の爪２２１は、光源ユニット３００の回転軸を形成する。
【００３５】
次に、光源ユニット３００をほぼ垂直な状態から回転させるとともに、バネ部材２１０を弾性変形させてバネ部材２１０の先端部２１３を穴開き部材２３０の穴に引っ掛ける。
【００３６】
最後に、光源ユニット３００を器具本体１０１に向かって押し上げることで、引っ掛け部材２４０の先端部が爪付き部材２２０の係止部２２２に押し込まれる。これにより、光源ユニット３００の引っ掛け部材２４０がある側が引き上げられていく。また、バネ部材２１０の円弧部２１１が穴開き部材２３０の穴の縁を摺動する。これにより、光源ユニット３００の穴開き部材２３０がある側が引き上げられていく。光源ユニット３００が完全に引き上げられると、光源ユニット３００が器具本体１０１の開口を閉塞し、器具本体１０１に固定される。このとき、引っ掛け部材２４０は、押さえ部材２６０により前後方向及び上下方向において固定される。
【００３７】
図４を参照して、照明装置８００の構成の詳細を説明する。図４は、照明装置８００の一部の断面を示した図である。
【００３８】
器具本体１０１は、天井材９００に形成された埋め込み穴に埋め込まれている。器具本体１０１は、埋め込み穴の奥に設けられたボルト等の固定具が挿入孔１１２に挿通されている状態で固定されている。鍔部１４０は、天井材９００と同じ高さに位置するように形成されている。枠部１５０は、少なくとも一部が天井材９００の下方、即ち、埋め込み穴の外側に位置するように形成されている。
【００３９】
光源ユニット３００は、一部が器具本体１０１よりも側方にはみ出してはみ出し部３１０を形成している。
【００４０】
鍔部１４０は、器具本体１０１から、はみ出し部３１０がはみ出している方向Ｄ０に延び、器具本体１０１に近い側の端部１４２がはみ出し部３１０と当たることで光源ユニット３００を受けている。はみ出し部３１０がはみ出している方向Ｄ０とは、本体部１００の側方のことである。
【００４１】
枠部１５０は、鍔部１４０の器具本体１０１から遠い側の端部１４３から、光源ユニット３００と離れた状態で器具本体１０１から光源ユニット３００へ向かう方向Ｄ１に延びている。器具本体１０１から光源ユニット３００へ向かう方向Ｄ１とは、本体部１００の器具本体１０１がある側Ｓ１から光源ユニット３００がある側Ｓ２へ向かう方向のことである。
【００４２】
照明装置８００が上記のような構成になっていることで、光源ユニット３００の側面３０３と、鍔部１４０のはみ出し部３１０と当たる第１面１４１と、枠部１５０の光源ユニット３００の側面３０３に対向する第２面１５１とで囲まれた空間８０１が形成されている。この空間８０１は、光源ユニット３００の側面３０３と枠部１５０の第２面１５１とのみによって形成される逆Ｖ字状の狭い溝ではなく、鍔部１４０の第１面１４１を底面とする深く広い溝になっている。そのため、光源ユニット３００の着脱時に、作業者が空間８０１に手を入れやすい。よって、光源ユニット３００を手で押さえながら行われる着脱作業が容易となる。
【００４３】
本実施の形態において、枠部１５０は、本体枠１６０と、化粧枠１７０とを有する。
【００４４】
本体枠１６０は、鍔部１４０と一体に形成されている。本実施の形態において、器具本体１０１の形状は、平面視で四角形であり、本体枠１６０は、この四角形の各辺に対応する４つの板状部材１６１，１６２を有する。一方の４つの板状部材１６１は、鍔部１４０とつながり、器具本体１０１から光源ユニット３００へ向かう方向Ｄ１に延びている。他方の４つの板状部材１６２は、板状部材１６１とつながり、はみ出し部３１０がはみ出している方向Ｄ０に延びている。このように、本実施の形態において、本体枠１６０は、垂直に延びている４つの板状部材１６１と、水平に延びている４つの板状部材１６２とからなる。水平に延びている４つの板状部材１６２には、締結穴１５２が設けられている。
【００４５】
化粧枠１７０は、本体枠１６０に固定されている。具体的には、化粧枠１７０は、締結穴１５２に挿入されるネジ１５３によって、本体枠１６０の水平に延びている４つの板状部材１６２に締結されている。化粧枠１７０は、天井材９００に当たることでガタツキを抑制している。なお、化粧枠１７０は、ネジ１５３以外の固定具によって本体枠１６０に固定されてもよい。
【００４６】
本実施の形態において、鍔部１４０と本体枠１６０は、器具本体１０１の本体面部１１０に取り付けられる枠体５００の一部である。枠体５００は、本体面部１１０にネジ等で固定されている水平面部５０１と、水平面部５０１とつながり、水平面部５０１に対して垂直に延びている垂直面部５０２とを有する。鍔部１４０は、垂直面部５０２とつながり、垂直面部５０２に対して垂直に延びている。本体枠１６０は、前述したように、その鍔部１４０につながっている。枠体５００は、器具本体１０１の四角形の各辺に対応するように４つ設けられ、１つ１つが個別に一体成形されている。なお、それぞれの枠体５００は、板金により形成されてもよいし、アルミニウム等を用いた押出成形により形成されてもよい。それぞれの枠体５００は、器具本体１０１と同じ材料により形成されてもよいし、異なる材料により形成されてもよい。
【００４７】
鍔部１４０は、垂直面部５０２の端から天井材９００に対して平行、即ち、水平方向に突き出している。鍔部１４０は、光源ユニット３００が器具本体１０１に取り付けられたときに光源ユニット３００の受け部となる。本体枠１６０の板状部材１６１は、鍔部１４０の端から天井材９００に対して垂直、即ち、鉛直方向に突き出している。本体枠１６０の板状部材１６２は、板状部材１６１の端から水平方向に突き出している。
【００４８】
図５に示すように、垂直に延びている４つの板状部材１６１のうち、隣り合う板状部材１６１間には、隙間１６３が設けられている。水平に延びている４つの板状部材１６２のうち、隣り合う板状部材１６２間にも、隙間１６４が設けられている。
【００４９】
鍔部１４０の長手方向の端面は、鍔部１４０の短手方向の端面に対して約４５度で傾斜した面となっている。鍔部１４０は、本体枠１６０の板状部材１６１，１６２と同じように４つあり、４つの鍔部１４０のうち、隣接する鍔部１４０同士の長手方向の端面が突き合わせられている。つまり、本実施の形態では、鍔部１４０として、器具本体１０１の四角形の各辺に対応する複数の長手状の鍔部１４０が備えられ、隣り合う鍔部１４０同士の長手方向の端面が突き合わせられている。
【００５０】
本体枠１６０の一方の板状部材１６１は、鍔部１４０の短手方向の端面より垂直に形成されている。それぞれの板状部材１６１は、隣接する板状部材１６１との間に隙間１６３ができるように形成されている。
【００５１】
本体枠１６０の他方の板状部材１６２は、一方の板状部材１６１の短手方向の端面より垂直に形成されている。それぞれの板状部材１６２は、隣接する板状部材１６２のうち一方の短手方向の端面の一部が、他方の長手方向の端面と隙間１６４を介して対向するような長さ及び形状になっている。それぞれの板状部材１６２の長手方向の両端部には、前述した締結穴１５２が設けられている。
【００５２】
本実施の形態では、隙間１６３，１６４があることで、隣接する鍔部１４０の長手方向の端部同士を突き合わせるように枠体５００を配置した際に、各部分において加工等による寸法のバラツキが発生したとしても、隙間１６３，１６４で寸法差が吸収されるため、隣接する鍔部１４０の間に隙間が発生することを防止できる。よって、意匠性の低下が抑制される。なお、一方の隙間１６３がなく、他方の隙間１６４だけがある場合、或いは、他方の隙間１６４がなく、一方の隙間１６３だけがある場合であっても、一定の効果が得られる。
【００５３】
本実施の形態において、化粧枠１７０は、断面が四角形の１辺が開口したような形状、即ち、「コ」の字のような形状をした部材を４つ組み合わせたものである。化粧枠１７０は、図４に示したように、本体枠１６０を覆うように、本体枠１６０に取り付けられる。このとき、化粧枠１７０により隙間１６３，１６４も覆われるため、枠体５００で意匠面となる面を有する要素は、鍔部１４０のみとなる。具体的には、鍔部１４０の第１面１４１の一部のみが露出することになる。このように、意匠面を小さい範囲に限定することで、意匠性を維持するための加工の手間及びコストを削減することができる。
【００５４】
本実施の形態では、隙間１６３，１６４があることで、化粧枠１７０の内側の寸法と、本体枠１６０の板状部材１６１，１６２の寸法との間に加工等による差異が発生したとしても、隙間１６３，１６４で寸法差が吸収されるため、隣接する鍔部１４０の間に隙間が発生することを防止できる。よって、意匠性の低下が抑制される。
【００５５】
化粧枠１７０は、木製でもよいし、樹脂製でもよいし、アルミニウム等の金属製でもよい。隙間１６３，１６４があることで、木又は樹脂の周囲環境による膨張又は収縮も隙間１６３，１６４で吸収されるため、意匠性の低下が抑制される。
【００５６】
＊＊＊実施の形態の効果の説明＊＊＊
本実施の形態では、照明装置８００が、光源ユニット３００の着脱時に、作業者が光源ユニット３００と器具本体１０１に近い側の端部１４２で光源ユニット３００を受ける鍔部１４０と鍔部１４０の器具本体１０１から遠い側の端部１４３から延びる枠部１５０とで囲まれた広い空間８０１を使用して光源ユニット３００を手で押さえながら着脱作業を行うことができる構造になっている。そのため、光源ユニット３００の着脱作業が容易となる。
【００５７】
本実施の形態では、隣り合う鍔部１４０同士の長手方向の端面が突き合わせられている。この突き合わせられている部分は、上記空間８０１を形成する部分、即ち、外から見える部分であるため、この部分に隙間が生じると、意匠性が低下する。そのため、本実施の形態では、鍔部１４０につながっている本体枠１６０の板状部材１６１，１６２が、隣り合う板状部材１６１，１６２間に隙間１６３，１６４ができるような寸法、形状及び配置になっており、各部分において発生し得る寸法差を隙間１６３，１６４で吸収することができる。また、本体枠１６０に固定されている化粧枠１７０の内側部分と、本体枠１６０の板状部材１６１，１６２との間に発生し得る寸法差も隙間１６３，１６４で吸収することができる。よって、鍔部１４０同士の突き合わせられている部分に隙間が発生することを防止できる。その結果、意匠性が向上する。
【００５８】
＊＊＊他の構成＊＊＊
本実施の形態では、鍔部１４０と本体枠１６０が、器具本体１０１に固定される枠体５００の一部として構成されるが、鍔部１４０と本体枠１６０は、器具本体１０１に一体に形成されてもよい。その場合、水平面部５０１と垂直面部５０２は不要となる。
【００５９】
また、本実施の形態では、器具本体１０１の形状が、平面視で四角形であるが、三角形或いは五角形等、四角形以外の多角形であってもよい。いずれの場合も、本体枠１６０は、当該多角形の各辺に対応する複数の板状部材１６１，１６２を有し、隣り合う板状部材１６１，１６２間に隙間１６３，１６４が設けられていることが望ましい。鍔部１４０としては、当該多角形の各辺に対応する複数の長手状の鍔部１４０が備えられ、隣り合う鍔部１４０同士の長手方向の端面が突き合わせられていることが望ましい。
【００６０】
実施の形態２．
本実施の形態に係る装置の構成、本実施の形態の効果を順番に説明する。主に実施の形態１との差異を説明する。
【００６１】
＊＊＊構成の説明＊＊＊
図６を参照して、本実施の形態に係る装置である照明装置８００の構成を説明する。図６は、照明装置８００を斜め下方から見た図である。なお、本実施の形態の説明においても、「上方」、「下方」、「側方」、「前方」、「後方」、「斜め上方」、「斜め下方」といった方向は、照明装置８００が天井に取り付けられる場合の方向を示している。照明装置８００は、壁等、天井以外の被取り付け部に取り付けられてもよい。
【００６２】
図６では、鍔部１４０が示されていないが、照明装置８００は、実施の形態１と同じように、本体部１００と、鍔部１４０と、枠部１５０とを備える。
【００６３】
図７を参照して、照明装置８００の構成の詳細を説明する。図７は、照明装置８００の一部の断面を示した図である。
【００６４】
器具本体１０１は、図４に示した実施の形態１のものと同じように、天井材９００に形成された埋め込み穴に埋め込まれている。
【００６５】
本実施の形態においても、光源ユニット３００の側面３０３と、鍔部１４０のはみ出し部３１０と当たる第１面１４１と、枠部１５０の光源ユニット３００の側面３０３に対向する第２面１５１とで囲まれた空間８０１が形成されている。そのため、光源ユニット３００の着脱時に、作業者が空間８０１に手を入れやすい。よって、光源ユニット３００を手で押さえながら行われる着脱作業が容易となる。
【００６６】
本実施の形態において、枠部１５０は、第１板状部材１８１と、第２板状部材１８２と、梁部１８３とを有する。
【００６７】
第１板状部材１８１は、鍔部１４０とつながり、器具本体１０１から光源ユニット３００へ向かう方向Ｄ１に延びている。
【００６８】
第２板状部材１８２は、第１板状部材１８１とつながり、光源ユニット３００から器具本体１０１へ向かう方向Ｄ２に延びている。
【００６９】
梁部１８３は、第１板状部材１８１と第２板状部材１８２とがつながる位置Ｐ１とは別の位置Ｐ２で第１板状部材１８１と第２板状部材１８２とにつながっている。梁部１８３は、第１板状部材１８１と第２板状部材１８２とを補強する部材である。梁部１８３があることで、第１板状部材１８１と第２板状部材１８２とのそれぞれの厚さを薄くしても強度を保つことができる。
【００７０】
本実施の形態において、鍔部１４０と枠部１５０は、器具本体１０１の本体面部１１０に取り付けられる枠体５００の一部である。枠体５００は、本体面部１１０にネジ等で固定されている水平面部５０１と、水平面部５０１とつながり、水平面部５０１に対して垂直に延びている垂直面部５０２とを有する。鍔部１４０は、垂直面部５０２とつながり、垂直面部５０２に対して垂直に延びている。枠部１５０は、前述したように、その鍔部１４０につながっている。枠体５００は、器具本体１０１の四角形の各辺に対応するように４つ設けられ、１つ１つが個別に一体成形されている。
【００７１】
鍔部１４０は、垂直面部５０２の端から天井材９００に対して平行、即ち、水平方向に突き出している。鍔部１４０は、光源ユニット３００が器具本体１０１に取り付けられたときに光源ユニット３００の受け部となる。枠部１５０の第１板状部材１８１は、鍔部１４０の端から天井材９００に対して斜めに突き出している。枠部１５０の第２板状部材１８２は、第１板状部材１８１の端から折り返すように、天井材９００に対して垂直に突き出し、天井材９００に当たっている。第２板状部材１８２は、天井材９００に当たることでガタツキを抑制している。枠部１５０の梁部１８３は、第１板状部材１８１と第２板状部材１８２とを天井材９００に対して水平につなげている。
【００７２】
第１板状部材１８１は、鍔部１４０のはみ出し部３１０と当たる面である第１面１４１に対して斜めに延びている第２面１５１を有する。第２面１５１は、光源ユニット３００の側面３０３から出射される光を反射する面になっている。本実施の形態において、第１板状部材１８１は、光源ユニット３００とほぼ同じ高さに形成されている。第２面１５１は、第１板状部材１８１の高さ方向の一端から他端まで形成され、光源ユニット３００から側方に照射される光を下方へ反射する。なお、第２面１５１は、遮光するだけの面であってもよい。
【００７３】
ここで、隣接する枠体５００の連結方法に関して説明する。
【００７４】
枠体５００の長手方向の端面は、枠体５００の短手方向の端面に対して約４５度で傾斜した面となっている。枠体５００は、前述したように４つあり、４つの枠体５００のうち、隣接する枠体５００同士の長手方向の端面が突き合わせられている。突き合わせられた枠体５００の端部同士は、枠部１５０の内側面、即ち、第１板状部材１８１と第２板状部材１８２とで対向する面に溶接が行われることで、接続される。溶接箇所が、外側に露出する面ではなく、枠部１５０の内側の面にあるため、意匠性の低下が抑制される。
【００７５】
隣接する枠体５００同士の長手方向の端面は、第１板状部材１８１と第２板状部材１８２とのそれぞれで突き合わせられている。よって、たとえ隙間が発生したとしても、２重に形成されている端部であるため、光が漏れにくい。
【００７６】
＊＊＊実施の形態の効果の説明＊＊＊
本実施の形態では、光源ユニット３００の側方に、第１板状部材１８１と第２板状部材１８２とを有する２重の枠部１５０が配置されている。よって、隣接する枠部１５０を連結するための溶接を、意匠面ではない枠部１５０の内側面に行うことができるため、意匠性の低下を抑制することができる。また、連結された枠部１５０の長手方向の端部における光の漏れを抑制することができる。
【００７７】
＊＊＊他の構成＊＊＊
本実施の形態では、鍔部１４０と枠部１５０が、器具本体１０１に固定される枠体５００の一部として構成されるが、鍔部１４０と枠部１５０は、器具本体１０１に一体に形成されてもよい。その場合、水平面部５０１と垂直面部５０２は不要となる。
【００７８】
また、本実施の形態では、器具本体１０１の形状が、平面視で四角形であるが、三角形或いは五角形等、四角形以外の多角形であってもよい。いずれの場合も、枠部１５０は、当該多角形の各辺に対応する複数の第１板状部材１８１と、同じく当該多角形の各辺に対応する複数の第２板状部材１８２とを有することが望ましい。鍔部１４０としては、当該多角形の各辺に対応する複数の長手状の鍔部１４０が備えられ、隣り合う鍔部１４０同士の長手方向の端面が突き合わせられていることが望ましい。
【００７９】
実施の形態３．
本実施の形態に係る装置の構成、本実施の形態の効果を順番に説明する。主に実施の形態１との差異を説明する。
【００８０】
＊＊＊構成の説明＊＊＊
図８を参照して、本実施の形態に係る装置である照明装置８００の構成を説明する。図６は、照明装置８００を斜め下方から見た図である。なお、本実施の形態の説明においても、「上方」、「下方」、「側方」、「前方」、「後方」、「斜め上方」、「斜め下方」といった方向は、照明装置８００が天井に取り付けられる場合の方向を示している。照明装置８００は、壁等、天井以外の被取り付け部に取り付けられてもよい。
【００８１】
照明装置８００は、実施の形態１と同じように、本体部１００と、鍔部１４０と、枠部１５０とを備える。
【００８２】
図９を参照して、照明装置８００の構成の詳細を説明する。図９は、照明装置８００の一部の断面を示した図である。
【００８３】
器具本体１０１は、図４に示した実施の形態１のものと同じように、天井材９００に形成された埋め込み穴に埋め込まれている。
【００８４】
本実施の形態においても、光源ユニット３００の側面３０３と、鍔部１４０のはみ出し部３１０と当たる第１面１４１と、枠部１５０の光源ユニット３００の側面３０３に対向する第２面１５１とで囲まれた空間８０１が形成されている。そのため、光源ユニット３００の着脱時に、作業者が空間８０１に手を入れやすい。よって、光源ユニット３００を手で押さえながら行われる着脱作業が容易となる。
【００８５】
本実施の形態において、枠部１５０は、第１板状部材１８１と、第２板状部材１８２とを有する。
【００８６】
第１板状部材１８１は、鍔部１４０とつながり、器具本体１０１から光源ユニット３００へ向かう方向Ｄ１に延びている。
【００８７】
第２板状部材１８２は、第１板状部材１８１とつながり、はみ出し部３１０がはみ出している方向Ｄ０に延びている。
【００８８】
本実施の形態において、鍔部１４０と枠部１５０は、器具本体１０１の本体面部１１０に取り付けられる枠体５００の一部である。枠体５００は、本体面部１１０にネジ等で固定されている水平面部５０１と、水平面部５０１とつながり、水平面部５０１に対して垂直に延びている垂直面部５０２とを有する。鍔部１４０は、垂直面部５０２とつながり、垂直面部５０２に対して垂直に延びている。枠部１５０は、前述したように、その鍔部１４０につながっている。枠体５００は、器具本体１０１の四角形の各辺に対応するように４つ設けられ、１つ１つが個別に一体成形されている。
【００８９】
鍔部１４０は、垂直面部５０２の端から天井材９００に対して平行、即ち、水平方向に突き出している。鍔部１４０は、光源ユニット３００が器具本体１０１に取り付けられたときに光源ユニット３００の受け部となる。枠部１５０の第１板状部材１８１は、鍔部１４０の端から天井材９００に対して垂直に突き出している。枠部１５０の第２板状部材１８２は、第１板状部材１８１の端から少なくとも片側に鍔状に突き出している。本実施の形態では、第２板状部材１８２は、第１板状部材１８１の端から両側に鍔状に突き出している。即ち、第２板状部材１８２は、第１板状部材１８１と「Ｔ」の字のような形状をなすように交差している。
【００９０】
図１０に示すように、第２板状部材１８２は、少なくとも一部が第１板状部材１８１の光源ユニット３００に対向する側から突き出して突き出し部１８４を形成している。即ち、第２板状部材１８２は、少なくとも一部が内側に突き出して突き出し部１８４を形成している。この内側の突き出し部１８４には、第１板状部材１８１の塗装色と第２板状部材１８２の塗装色との境目１８５が存在している。
【００９１】
また、図１０に示すように、第２板状部材１８２は、少なくとも一部が第１板状部材１８１の光源ユニット３００に対向する側と反対側から突き出して突き出し部１８６を形成している。即ち、第２板状部材１８２は、少なくとも一部が外側に突き出して突き出し部１８４を形成している。この外側の突き出し部１８６にも、第１板状部材１８１の塗装色と第２板状部材１８２の塗装色との境目１８７が存在している。図９に示したように、突き出し部１８６は、天井材９００に当たることでガタツキを抑制している。
【００９２】
第１板状部材１８１は、鍔部１４０のはみ出し部３１０と当たる面である第１面１４１に対して垂直に延びている第２面１５１を有する。第２面１５１は、光源ユニット３００の側面３０３から出射される光を拡散させる凸凹面になっている。本実施の形態において、第１板状部材１８１は、光源ユニット３００とほぼ同じ高さに形成されている。第２面１５１は、第１板状部材１８１の高さ方向の一端から他端まで形成され、光源ユニット３００から側方に照射される光を拡散させる。なお、第２面１５１は、遮光するだけの面であってもよい。
【００９３】
ここで、枠体５００の色の塗り分け方法に関して説明する。
【００９４】
まず、第２板状部材１８２の本体部１００側の面である第２面１５１と、第２板状部材１８２の突き出し部１８４の器具本体１０１側を向く面である上面１９１との境界部分、及び、第２面１５１の反対側の面である外側面１９２と、第２板状部材１８２の突き出し部１８６の器具本体１０１側を向く面である上面１９３との境界部分が境目となるように、第１板状部材１８１と第２板状部材１８２とのどちらか一方がマスキングされる。そして、マスキングされてない方が塗装される。次に、第１板状部材１８１と第２板状部材１８２とのうち他方にも同様の作業が行われる。
【００９５】
＊＊＊実施の形態の効果の説明＊＊＊
本実施の形態において、マスキングの境目は、塗装色の境目１８５，１８７となる。一方の境目１８５は、第１板状部材１８１の第２面１５１と第２板状部材１８２の突き出し部１８４の上面１９１との境界部分にある。他方の境目１８７は、第１板状部材１８１の外側面１９２と第２板状部材１８２の突き出し部１８６の上面１９３との境界部分にある。これらの境界部分は、照明装置８００が被取り付け部に取り付けられた状態において見えない部分である。つまり、意匠面に色の境目１８５，１８７が現れない。よって、色の塗り分けによる意匠性の低下が抑制される。
【００９６】
色の境目１８５，１８７を、見えない部分に設けることで、マスキングの作業精度を高精度にしなくてもよくなる。よって、塗装作業が容易になる。なお、第１板状部材１８１と第２板状部材１８２とのどちらか一方のみが塗装されてもよい。
【００９７】
＊＊＊他の構成＊＊＊
本実施の形態では、鍔部１４０と枠部１５０が、器具本体１０１に固定される枠体５００の一部として構成されるが、鍔部１４０と枠部１５０は、器具本体１０１に一体に形成されてもよい。その場合、水平面部５０１と垂直面部５０２は不要となる。
【００９８】
また、本実施の形態では、器具本体１０１の形状が、平面視で四角形であるが、三角形或いは五角形等、四角形以外の多角形であってもよい。いずれの場合も、枠部１５０は、当該多角形の各辺に対応する複数の第１板状部材１８１と、同じく当該多角形の各辺に対応する複数の第２板状部材１８２とを有することが望ましい。鍔部１４０としては、当該多角形の各辺に対応する複数の長手状の鍔部１４０が備えられ、隣り合う鍔部１４０同士の長手方向の端面が突き合わせられていることが望ましい。
【００９９】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。具体的には、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【０１００】
１００  本体部、１０１  器具本体、１０２  端子台設置面、１１０  本体面部、１１１  引き込み孔、１１２  挿入孔、１２０  側面部、１３０  端子台、１４０  鍔部、１４１  第１面、１４２  端部、１４３  端部、１５０  枠部、１５１  第２面、１５２  締結穴、１５３  ネジ、１６０  本体枠、１６１  板状部材、１６２  板状部材、１６３  隙間、１６４  隙間、１７０  化粧枠、１８１  第１板状部材、１８２  第２板状部材、１８３  梁部、１８４  突き出し部、１８５  境目、１８６  突き出し部、１８７  境目、１９１  上面、１９２  外側面、１９３  上面、２１０  バネ部材、２１１  円弧部、２１２  固定部、２１３  先端部、２２０  爪付き部材、２２１  爪、２２２  係止部、２３０  穴開き部材、２３１  穴、２４０  引っ掛け部材、２５０  摺動部材、２６０  押さえ部材、３００  光源ユニット、３０２  点灯装置設置面、３０３  側面、３１０  はみ出し部、４１０  モジュール取り付け部、４１１  取り付け正面部、４１２  カバー受け部、４２０  点灯装置、５００  枠体、５０１  水平面部、５０２  垂直面部、８００  照明装置、８０１  空間、９００  天井材。
【図１】
0006639167.tif 000002
【図２】
0006639167.tif 000003
【図３】
0006639167.tif 000004
【図４】
0006639167.tif 000005
【図５】
0006639167.tif 000006
【図６】
0006639167.tif 000007
【図７】
0006639167.tif 000008
【図８】
0006639167.tif 000009
【図９】
0006639167.tif 000010
【図１０】
0006639167.tif 000011